(57)【要約】【課題】事務用椅子は普通に座ると背骨と大腿骨との間の角度は９０度近い状態で座る事になる。この角度で長時間座る事は腰の疲れとなり腰痛を招く事が有る。又腰痛を感じている人にとっては苦痛な場合がある。背骨と大腿骨の間の角度を１２０度程度にして座ると腰の疲れが大きく軽減されるが、前に体が滑り落ちてしまう問題が有った。事務用椅子を用いて、背骨と大腿骨の間の角度を大きくして座る方法が求められていた。【解決手段】水平な着座底面に対して５度から４５度の間の角度にて配置固定する事の出来る着座面を有する敷き座り部分と膝の前部に当てる事により膝を支える役目を果たす膝前部当て部とを有する着座具において、膝前部当て部の両側に伸びた柔軟性ベルトからなる支持部品を一つの半固定結合を含む両端部によって敷き座り部分と結合する事により膝を支え、体が前へ滑り落ちる事無く座る事を可能にする。【選択図】図１
2006314484.tif 000002
【特許請求の範囲】
【請求項１】
着座面と着座底面との間の角度が5度から45度の間の角度である敷き座り部分と膝前部当て部と、膝前部当て部の両側に連結されている支持部品とを有している着座具において、支持部品における膝前部当て部とは反対側の端部は敷き座り部分と固定結合あるいは半固定結合により連結されており、且つ支持部品における膝前部当て部とは反対側の端部の少なくとも一方は敷き座り部分と半固定結合されており、膝前部当て部が敷き座り部分の前方へ移動出来る最大距離が半固定式結合により規制されている事を特徴とする着座具。
【請求項２】
着座面を形成する着座面基板と着座底面を形成する着座底面基板とが柔軟性材料を介して結合されており、且つ着座面基板と着座底面基板の間の傾斜角度を規制する傾斜角規制基板が着座面基板又は着座底面基板との間で柔軟性材料を介して結合されている事を特徴とする請求項１記載の着座具。
【請求項３】
支持部品の膝前部当て部とは反対側の端部における敷き座り部分との結合場所の少なくとも一つが敷き座り部分における着座時の横側部分にある事を特徴とする請求項１又は２記載の着座具。
【請求項４】
膝前部当て部が柔軟性布状材料により形成されている事を特徴とする請求項１、２又は３記載の着座具。
【請求項５】
支持部品の膝前部当て部とは反対側の端部における、支持部品と敷き座り部分との間における少なくとも一つの半固定式結合が、マジックテープ（登録商標）、フック、ボタン、チャック、スナップ又は布接続用部品により行われている事を特徴とする請求項１、２、３又は４記載の着座具。
【請求項６】
敷き座り部分がマット状材料、又は空気袋状材料により構成されている事を特徴とする請求項１、２、３、４又は５記載の着座具。
【請求項７】
請求項１、２、３、４、５又は６に記載された着座具における敷き座り部分、膝前部当て部及び膝前部当て部に連結された支持部品を有する事を特徴とする椅子。
【発明の詳細な説明】
【技術分野】
【０００１】
本発明は、椅子の台座に載せて用いる着座具及び椅子の構造に関する。
【背景技術】
【０００２】
従来、椅子において臀部を載せる着座定板はほぼ水平に設置されているのが普通である。その状態を、人が机に向かって椅子に座った場合の状態について、図１９の模式的な姿勢断面概観図に示す。一方、着座定板を少し後ろに傾けて、かつ背もたれを後ろに倒して仰向けに伸びるようにして座る事の出来る安息用途タイプの椅子もあるが、机３８に向かって事務を行う時に使う事務用椅子４においては体を正立させて机の上の書類等を見つめる必要から着座定板３はほぼ水平に設置される事になる。
【０００３】
着座定板３が水平に近い状態で設置されている事から、図１９の着座時の模式的な姿勢断面概観図に示す如く座って事務をする人の背骨１と大腿骨２とのなす角度は約１００度以下となり、９０度近い角度となる事が普通である。
【０００４】
この姿勢を長時間続けると、人は腰が大変疲れる状態となり、腰の背中側にストレスを与えてしまう。その事がいわゆる腰痛を招来する一因となる。背骨１と大腿骨２とのなす角度を９０度以上にする方法の例として、公開特許公報の特開２０００−７９１３５号には、お尻の下にクサビ型のスペーサーを入れる為の腰椎座位簡易矯正具が開示されている。又、特開平１１−２４４０９９号には、着座具としてバネ付きのスペーサーが開示されている。
【０００５】
また、着座時の背骨と大腿骨のなす角度について１１０度〜１３５度ぐらいを中心として、９０度より大きくして、腰に与えるストレスを少なくする為の椅子として、臀部を乗せる部分を水平では無く３０度程度に大きく傾斜した着座定板として、前に滑り落ちようとする体重を着座定板とは逆方向に傾斜させた膝前部当て定板で受け止めるタイプのバランスチェアと呼ばれる椅子がストッケー社及びホーグ社から販売されている。これは、２００３年１１月５日検索のインターネットにおいても、＜ＵＲＬ：ｈｔｔｐ：／／ｗｗｗ．ｍａｌｓｙｏ．ｃｏ．ｊｐ／ｂａｌａｎｓ．ｈｔｍｌ＞にて見る事が出来た。
【０００６】
また、腰痛を治療したり予防する椅子として座面を自動的に傾けたり動かしたりして腰の緊張をほぐすタイプの物が、特許番号の特許３１０６３６０号や特許２５２４４６２号において提供されている。
【特許文献１】特開２０００−７９１３５号公報
【発明の開示】
【発明が解決しようとする課題】
【０００７】
ところで、バランスチェアと呼ばれる、傾いた着座定板の上に腰掛けた体が滑り落ちようとするのを膝前部当て定板で受け止める椅子は、腰痛を感じていない人にとっては、必ず膝を使わないと座れない為不自由に感じられ、事務遂行上の不便さが有る。又、腰痛を感じていない多くの人と少数の腰痛を感じている人が共用する為の事務用椅子としては、図１９のタイプの事務用椅子４が選択される事が多い。
【０００８】
又、特許３１０６３６０号や特許２５２４４６２号に示された自動傾動機構や駆動装置付きの椅子は、一般の事務用椅子に比べて製作費用も高価であり、大きくなり易いという問題点を有している。
【０００９】
又、特開２０００−７９１３５号や、特開平１１−２４４０９９号のように臀部の後ろ側が高くなるようなスペーサーを臀部の下に挟み込んで座る様な対応では、臀部を乗せる着座定板３の上で実質的な着座角度を前に傾け得る角度は５〜１０度ぐらいでありそれ以上の角度では臀部が前へずり落ちてしまい安定した着座が出来ない。その為に、腰痛を感じる人は苦労しながら着座用台座定板が基本的に水平である図１９のタイプの事務用椅子４に座っているのが実情である。
【００１０】
このような状況を解決する為に、本発明者は特許願番号の特願２００４−２３４３９０号の中で、着座定板が基本的に水平である図１９のタイプの事務用椅子４を使ったままで、腰痛を感じている人が、背骨１と大腿骨２とのなす角度を９５度以上たとえば９５〜１３５度の範囲の中で大きくした状態で着座する事を可能とし、しかも、傾斜した着座面に座っていながら体が前に滑り落ちる事のない機能が配備されている着座具を提供している。
【００１１】
そして、特願２００４−２３４３９０号の中において、背骨１と大腿骨２とのなす角度を９５〜１３５度の範囲の中で大きくした状態で背骨を水平面に対して垂直にして着座しても体が前へずり落ちない機構を含み安定した着座状態を実現すると共に、更にその状態で従来の回転椅子の上に座る時には、従来からある回転椅子の機能はそのまま使って左右に自由に回転して横を向く事を可能にする着座具を提供している。
【００１２】
その着座具の使用により、腰痛を感じている人には事務用椅子４を用いた場合でも快適に着座する事が可能となり、また腰痛を感じていない人でも、その着座具を事務用椅子４に取り付けた場合には長時間の着座に際して、腰にストレスを感じる事が減少し、腰痛発生を低減する事が出来るようにしている。
【００１３】
このような状況の中で、本発明においては、特許願番号の特願２００４−２３４３９０号の中に示された着座具がその機能を満たす事のできる使用領域とは異なる使用領域において、より好適に腰痛を軽減したり、腰のストレスを軽減する事の出来る着座具を提供する事を目的としている。更に又、本発明の着座具の機構を最初から椅子に組み込んだ構造を提供する事も目的としている。
【００１４】
即ち、特許願番号の特願２００４−２３４３９０号においては、少なくとも三つの構成要素を合わせ持った着座具を用いる事によりその目的を達成できる事を示した。その一つは、前方で下がる如くに傾いて配置される臀部をのせて座る為の着座面基板であり、二つめは傾斜を持って配置された着座面基板上で着座した人の体が前方へ滑り落ちようとする荷重を膝前部で受け止める為の膝前部当て部である。三つ目は前記の膝前部当て部と連結された支持部品であり、膝前部当て部を支持する役目を果たす物であった。
【００１５】
そして、膝前部当て部と連結された支持部品は膝前部当て部とは反対側の端部において、着座面基板と着座面基板の裏側で勘合される構造をはじめとする半固定的な結合機構を有しており、勘合された支持部品は着座面基板から一定距離以上は離れる事が出来ない。その事によって、前に下がる様に傾斜した着座面上に座った人の体が着座面上を前へ滑り落ちようとするのを受け止める為の膝前部当て部は、一定距離以上着座面基板から離反する事が無く、その事により、座っている人の体が前へ滑り落ちるのが防止される構造となっている。
【００１６】
しかしながら、特許願番号の特願２００４−２３４３９０号において開示した構造においては、膝前部当て部は一つの支持部品と結合されているものの、支持部品の一方の端部に結合されており着座面基板に対して半固定的結合を有しているのは支持部品の膝前部当て部とは反対側の端部のみである。特許願番号の特願２００４−２３４３９０号の中に示されている着座具について、構造の一つの例を引用して図１８に示す。この構造は、着座時に膝を左右へ自由に開閉し易くしてストレスの開放を促進出来るという自由度においては優れている。
【００１７】
理解するのに便利なように、図１８の例について概略を述べると、着座面基板５ｇ、底面基板８ｇ及び傾斜角設定基板９ｇの三者により敷き座り部分となる三角形断面形状を有する立体が構成されている。そして、支持部品７ｆは一方の端部において膝前部当て部６ｇと結合されており、反対側の端部は傾斜角設定基板９ｇと半固定結合されている。膝前部当て部６ｇは膝前部当てベルト３３、マジックテープ（登録商標）Ａの１０ｇ及びマジックテープ（登録商標）Ｂの１１ｇで構成されており、膝前部当てベルト３３を膝前部近傍に回してマジックテープ（登録商標）を止める事によって膝前部当て部の膝前部近傍への装着がなされる。
【００１８】
支持部品７ｆは支持紐３５と膝前部当てベルト接続板３４とで構成されており、膝前部当て部６ｇが受ける荷重を傾斜角設定基板９ｇに伝える役目を果たす。この様に、膝前部当て部６ｇの全体が支持部品７ｆの一方の端に形成されている構造によって、支持紐懸架穴３７において結び目３６により懸架された支持部品の先端にある膝前部当て部６ｇは、膝からの荷重を受け止めると共に自由に左右に揺動出来る。この構造が、着座時に足を左右へ自由に開閉する事を可能としており、足の向きや配置の固定から来る筋肉の緊張状態の緩和に好適なものとなっている。
【００１９】
しかしながら、その反面、膝前部の左右への揺動や開閉を束縛してより固定状態に近づけて座りたいという用途に対しては適合性が満足されていない。膝をより固定状態に近づけて座る事は、座った時の安定感の増大と言う点で別の有利点が存在する。又、図１８に示した着座具を用いて事務椅子に座りながら、頭や胸部を前へ移動させて体重を膝前部当て部の方により多くかけるような動きを取りたい場合、例えば机の周囲に置いてある品物に体と手を伸ばして取り寄せる場合には、膝がより固定状態に近く保たれている方が安定感に富み快適な物となる。
【００２０】
更に又、特許願番号の特願２００４−２３４３９０号の中に示されている着座具においては、膝前部当て部が支持部品の一方の端部に結合されている為、足の裾まで伸びたような長いスカートや和服着物、更には長いガウンのような両膝を一緒に包むような衣服を着用している場合に使用する事には対応出来ないという状況がある。
【００２１】
このような状況に対して、本発明においては特許願番号の特願２００４−２３４３９０号に示した機能の５度から４５度の間で傾斜した着座面上に滑り落ちる事無く座る事が出来るという内容は満足させながらも、膝前部の左右への揺動や開きを束縛してより固定状態に近づけた安定感に勝れた着座をもたらす構造を提供する事を目的としている。又、合わせて、足の裾まで伸びたような長いスカートや和服着物、更には長いガウンのような両膝を一緒に包むような衣服を着用している場合にも使用可能な着座具を提供する事も本発明の目的である。
【課題を解決するための手段】
【００２２】
本発明における着座具は、着座面と着座底面との間の角度が５度から４５度の間の角度である敷き座り部分と膝前部当て部と、膝前部当て部の両側に連結されている支持部品とを有しており、支持部品における膝前部当て部とは反対側の端部は敷き座り部分と固定結合あるいは半固定結合により連結されており、且つ支持部品における膝前部当て部とは反対側の端部の少なくとも一方は敷き座り部分と半固定結合されており、膝前部当て部が敷き座り部分の前方へ移動出来る最大距離が半固定式結合により規制されている事を特徴としている。  
【００２３】
膝前部当て部の両側に連結された支持部品は膝前部当て部とは反対側の端部において、固定結合又は半固定結合により敷き座り部分と連結されているので、前に下がる様に傾斜した着座面上に座った人の体が着座面上を前へ滑り落ちようとするのを膝前部当て部で受け止める事が出来る。又、支持部品の少なくとも一方の端部が半固定結合となっているので、その部分の開放により足の出し入れの容易さを確保し、更に膝前部当て部が敷き座り部分から離れる事の出来る距離を選択できる機能を有している。
【発明の効果】
【００２４】
本発明の着座具を従来の事務椅子に座る時に着座定板上に据え付けてその上から座る事により、背骨と大腿骨のなす角度を９５〜１３５度の間の角度で大きくして、腰に与えるストレスを少なくする形で座る事が出来る。その事によって腰痛の発生の予防に寄与する事が出来る。又、腰痛を感じている人は楽に座る事が出来る。
【００２５】
又、本発明の着座具は少なくとも敷き座り部分と膝前部当て部と膝前部当て部の両側に結合された支持部品を有しており、尚且つそれらの間の従来に無い新しい構造により前側に低く傾いた着座面上を滑り落ちようとする体重を膝前部当て部にて快適に受け止め静止する事が出来る。特に膝前部当て部の両側が支持部品により固定される為、足の左右への揺動に対する固定性能に優れている事から安定感に勝れた着座を実現するのにより好適である。又、膝前部当て部で受ける荷重の分散が膝前部当て部の両側に連結された支持部品により行われる為に、両方の膝をまとめて同時に膝前部に膝前部当て部を装着する事が可能である。その事によって、足の裾まで伸びたような長いスカートや和服着物、更には長いガウンのような両膝を一緒に包むような衣服を着用している場合にも使用する事が出来る。
【００２６】
更に又、本発明の着座具の構成を椅子の構造の一部に最初から組み込んで置く事により背骨と大腿骨のなす角度を９５〜１３５度の間の角度で大きくして、腰に与えるストレスを少なくする形で座る事が出来る椅子であって、本発明着座具の有する上に述べた特徴機能を備えた椅子を提供する事が出来る。
【発明を実施するための最良の形態】
【００２７】
以下において、実施における最良の形態の詳細を具体的に述べる。本発明による着座具における不可欠な三構成要素の内の一つは敷き座り部分である。敷き座り部分は、事務用椅子４の着座定板３の上に置きその上から人が座る部分を意味しており、例えば図１における着座面を有する着座面基板５及び着座底面を有する底面基板８を構成部品として有している。前方で下がる如くに傾いて配置され、臀部をのせて座る為の着座面と着座底面とのなす角度が５度から４５度の間の角度であり、その事により本発明着座具の敷き座り部分を椅子の水平着座定板３の上に置いた時、着座面の傾斜角度が水平に対して５度から４５度の間の角度で前方へ低く傾斜する様に構成される事を特徴としている。
【００２８】
５度以下の角度では、背骨と大腿骨の間の角度を大きくして腰痛を防止する効果が小さい事から５度以上とする事が好ましい。又、更に好ましくは１０度以上の傾斜角度にする事により長時間の着座に対しても腰痛防止に対して効果的な着座具とする事が出来る。
【００２９】
一方、４５度以上の角度の場合は敷き座り部分の傾斜角度が急すぎて体重を着座面では無く膝前部当て部にてその半分以上を受ける事になるため膝への負担が大きすぎる。ちょうど、腰痛予防と膝への過大な負担を避けて長時間楽な姿勢を保ち易くする為に４５度以下が選択される。
【００３０】
更に、本発明において敷き座り部分の着座面の角度は５度以上から４５度以下までの間であれば単一角度に限定されるものでは無く、種々の角度が設定できる様な機構を含有させて、その時々に種々の角度を選択使用する事ができる様になっていてもなお好適である。その時々の座っている時の腰の緊張状態をほぐす為に傾斜角度が変更出来る様になっているのは腰に動きを与える事にもなり腰痛予防の観点からより効果的である。
【００３１】
本発明における重要構成要素の二つめは膝前部当て部であるが、斜めに設定された着座面上を重力で滑り落ちようとする体を膝の前部に当てて支える部分を意味しており、体重の何割かを受け止める役目を有している。この部分は、本発明における重要構成要素の三つ目であるところの支持部品と連結されて構成される為、支持部品を構成する材料と一体で構成する事も可能である。即ち、膝前部当て部もその両側につながる支持部品も一体の布で形成する事が可能である。
【００３２】
又、支持部品と膝前部当て部を別の材料で構成する事も可能である。即ち、支持部品を紐で構成し、膝前部当て部を布で構成する事も可能である。又、膝前部当て部は板状の物であって、膝と接触する面側に綿や発泡樹脂等のクッション材を接合した物を用いる事も可能である。本明細書中においては、これらの膝の前部に当てる部分の全てのタイプを総称して膝前部当て部と呼ぶ事とする。即ち、支持部品と同一材料で構成されている場合も、板の上に緩衝材を取り付けた物の全体を示す場合も両方とも膝前部当て部と呼ぶ事とする。
【００３３】
本発明における重要構成要素の三つめは支持部品であり、膝前部当て部の両側に連結して構成される。そして、支持部品の膝前部当て部とは反対側の端部は両方とも敷き座り部分の着座時における横側又は前側の端部と結合される。この支持部品により、膝前部当て部で受け止めた着座面を滑り落ちようとする体重の何割かは全て敷き座り部分へと伝達され、体が着座面上を滑り落ちるのが防止される。又、これら膝前部当て部の両側に結合されている二つの支持部品の少なくとも一方の支持部品の端部は敷き座り部分と半固定結合されている。半固定結合である事により取り外しが可能で足膝の周囲への装着が容易に行える。又半固定結合の結合位置又は支持部品の結合位置迄の長さを変える事により膝前部当て部と敷き座り部分の中心との最大離反距離を変える事が可能となり、大腿骨の長い人、短い人それぞれに好適な支持部品の長さを設定して着座する事が可能となる。
【００３４】
又、支持部品の材料としては、布状の柔軟性材料や、紐状の柔軟性材料を用いる事が出来る。一つの膝前部当て部の両側に結合されている支持部品の膝前部当て部とは反対側の端部の内、少なくとも一方は敷き座り部分の側面部若しくは前方の端部において、敷き座り部分と半固定結合されている。そして、半固定結合の方法としては、マジックテープ（登録商標）、フック、ボタン、チャック、スナップ又は布接続用部品を用いる事が可能で、それらの接続位置を変える事で、支持部品の長さが調節されると共に、接続を外す事により足の出し入れが可能となる。
【実施例】
【００３５】
本発明による着座具の構造を、図１〜１７に示された構造説明図を用いて更に詳細に説明する。図１は本発明着座具の一つの例を用いて事務用椅子４に人が着座した時の様子を模式的に説明用概観図として示した物である。全体的な関係を分かり易くする為に模式的に示しているので、共通の一断面による断面図では無く、各要素の配置を概念的に捉える為に各要素の特徴的な断面図及び外観図を並べて記載している。図１の中で、本発明着座具は敷き座り部分を構成する着座面基板５、底面基板８及び傾斜角設定基板９を有しているのが分る。更に敷き座り部分以外の要素としては、膝前部当て部６及び支持部品７を有しており、前方へ傾斜した着座面基板５上に座った人の膝が膝前部当て部６で支えられている様子を示している。又、膝前部当て部６は支持部品７により連結されて着座面基板５に繋がっている。これらの、構造について図２〜図５を用いて詳細に説明する。又、図６〜図１０においては、第２の実施例について説明するが、図６〜図９は敷き座り部分を構成する着座面基板、底面基板及び傾斜角設定基板の構造について詳細を述べる。又、図１１〜図１７において更に他の実施例について説明する。
【００３６】
実施例１について図２〜図１０を用いて説明する。図２〜図５は人が本発明の着座具に座る様子を理解する助けとする為に、人と着座具との位置関係を種々の角度と装着状態について示した模式的な外観斜視立体図である。図２は、人が本発明着座具を事務用椅子４の上に置き、その敷き座り部分の上に座ってはいるが未だ膝前部当て部を膝に装着していない状態における配置を正面から観察して示した図である。但し、事務用椅子４は記載せずに本発明の構成部品における互いの配置関係について示している。着座面基板５の前方端部より長い布状のベルトが二本垂れ下がっている。又、着座面基板５の横側からは短めの布状のベルトが左右一本ずつ垂れ下がっている。
【００３７】
図３は、人が本発明着座具の敷き座り部分の上に座ってはいるが未だ膝前部当て部を膝に装着していない状態を斜め前方から観察して示した図である。図４は、人が本発明着座具の敷き座り部分の上に座っており、既に膝前部当て部を膝に当てて左右のベルトをそれぞれマジックテープ（登録商標）により半固定結合した状態を正面から観察して示した図である。図５は、人が本発明着座具の敷き座り部分の上に座っており、既に膝前部当て部を膝に当てて左右のベルトをそれぞれマジックテープ（登録商標）により半固定結合した状態を斜め前方から観察して示した図である。
【００３８】
図２について、更に詳しく説明する。着座面基板５の両横からは布状のベルトで形成された支持部品７０１ａが右側に、支持部品７０６ａが左側に端部を結合されて垂れ下がっている。そして、その先端近傍の表面の片側には、一対のマジックテープ（登録商標）を形成するフック形状突起を有する物と輪形状の植え込みを有する物の内のフック形状突起を有する物が番号１１で示されるマジックテープ（登録商標）Ｂとして縫い付け形成されている。マジックテープ（登録商標）Ｂは左右両方の支持部品において先端表面近傍の片側の表面に形成されている。
【００３９】
次に、着座面基板５の前方の中央端部からは、布状のベルトで形成された長いベルトが二本垂れ下がっている。このベルトは図２に示された様に、その長手方向においていくつかの機能を果たす領域を分けて理解する事ができる。右側のベルトについて更に細かく見ると、着座面基板５に結合されている端部を有する領域は支持部品７０２ａとしての機能を果たす領域である。支持部品７０２ａに続く領域は、膝前部当て部６０１ａとなっている。更に、膝前部当て部６０１ａの先は支持部品７０３ａとしての機能を果たす領域となっている。そして、支持部品７０３ａの先端近傍における表面の片側には、番号１０で示されるマジックテープ（登録商標）Ａが縫い付けて形成されている。マジックテープ（登録商標）Ａは一対のマジックテープ（登録商標）を形成するフック形状突起を有する物と輪形状の植え込みを有する物の内で輪形状の植え込みを有する物を示している。左側のベルトも同様に、着座面基板５の先端に結合されている側から順番に、支持部品７０４ａ、膝前部当て部６０２ａ及び支持部品７０５ａのそれぞれの領域が並んでいる。支持部品７０５ａの先端近傍には、やはりマジックテープ（登録商標）Ａが一方の面に縫い付け形成されている。
【００４０】
次に、図３の斜視外観図においては、敷き座り部分を形成する着座面基板５、底面基板８及び傾斜角設定基板９の関係を見る事が出来る。着座面基板と底面基板の間に傾斜角設定基板が互いに連携して三角形断面を作るような配置に置かれている。前に傾斜して配置された着座面基板の横側端部に支持部品７０１ａの端部が結合されている様子を見る事が出来る。支持部品７０６ａの部分は陰になっているので全体が見えないが、着座面基板と結合されているのとは反対の端部に形成された番号１１のマジックテープ（登録商標）Ｂの一分を両足の間に見る事が出来る。支持部品７０３ａ、及び７０５ａについてはマジックテープ（登録商標）Ａの形成されている面側が見えている状態が描かれている。
【００４１】
次に、図４は着座面基板上に座った人が長い方の布状のベルトを左右の膝の回りに回してそれぞれにおいて、先端のマジックテープ（登録商標）Ａの部分と短い方の布状ベルト先端部のマジックテープ（登録商標）Ｂの部分とを重ねて結合させて、ベルトを着座時の使用の状態に装着した状況を示している。又、図５は図４と同じベルト装着状態を斜め前方より見た外観図である。両方の図を見て理解できる様に、着座面基板の前方端部に結合されている右側の長い方のベルトは、膝前部当て部６０１ａの両側に支持部品として７０２ａ及び７０３ａの領域を有しており、膝前部当て部６０１ａの領域が膝の前方部に当てられている。そして、支持部品７０３ａの領域先端の片面にあるマジックテープ（登録商標）Ａにより短い方のベルトの支持部品７０１ａの先端部片面にあるマジックテープ（登録商標）Ｂとが結合されて膝を取り囲むベルトの輪が形成されている。
【００４２】
同様にして、着座面基板の前方端部に結合されている左側の長い方のベルトは、膝前部当て部６０２ａの両側に支持部品として７０４ａ及び７０５ａの領域を有しており、膝前部当て部６０２ａの領域が膝の前方部に当てられている。そして、支持部品７０５ａの領域先端の片面にあるマジックテープ（登録商標）Ａと短い方のベルトの支持部品７０６ａの先端部片面にあるマジックテープ（登録商標）Ｂとが結合されて膝前部を取り囲むベルトの輪が形成されている。
【００４３】
このようにして、膝前部に回して装着された布状のベルトは支持部品の連携により着座面基板端部に結合される。即ち、膝前部当て部６０１ａ及び６０２ａはそれぞれ両側に配置されている支持部品の領域を通して着座面基板に結合されており、着座面の斜面上を滑り落ち様とする体重を膝前部にて支える事ができる。又、座る人の足の長さに応じてマジックテープ（登録商標）Ａとマジックテープ（登録商標）Ｂの結合位置を変える事により、布状ベルトの輪の大きさは自由にかえる事が出来るため足の長さに合った快適な着座状態をもたらす事が出来る。又、半固定結合としてのマジックテープ（登録商標）によるベルト接続は足の出し入れに際して容易な輪の開閉を可能にしている。
【００４４】
この実施例１においては、膝前部当て部と支持部品とは同じ布状ベルトで形成されているため、座る人の足の長さに応じて直接に膝前部に当たる領域と膝前部に当たる事無く膝前部当て部を支持するだけの領域とはお互いにその境界領域においては入れ替わる部分も存在する。しかしながら、長い方の布状ベルトの中で中央部の約１／３の領域が膝前部当て部としての機能を果たし、その両側のそれぞれの約１／３が両側の支持部品としての機能を果たすという形での配置が好ましい。その配置により、マジックテープ（登録商標）の結合位置を着座した時の横の位置に置く事が出来る事になり、ベルトの輪の着脱を手で行い、椅子に着座したり立ち上がって椅子から離れたりする時に便利な物となる。
【００４５】
次に、敷き座り部分を構成する着座面基板５、底面基板８及び傾斜角設定基板９の配置関係について説明する。実施例１としての図１〜図５においては着座面基板５、底面基板８及び傾斜角設定基板９が直接組み合わされ接合される場合を示しており、その場合の接合部分、即ち三角形断面構造を形成する頂角部における接合方法としては蝶番（図中には書かれていない）を用いる事が可能である。着座面基板５の前方端部と底面基板８の前方端部で構成される頂角内面側が蝶番により結合され、底面基板８の後方端部と傾斜角設定基板９の下方端部で構成される頂角内面側が蝶番により結合される。そして、傾斜角設定基板９の上方端部は着座面基板５の後方裏面に形成される二つの位置規制板（図中には書かれていない）の間に挿入されて敷き座り部分の三角形断面形状を構成する。二つの位置規制板については、後に述べる実施例２と同じ物を用いる事が可能である。
【００４６】
図６〜図１０は実施例２において、底面基板８ｂと着座面基板５ｂ及び傾斜角設定基板９ｂとが布を用いて接合され、敷き座り部分が構成される状況を示している。図６は敷き座り部分の着座使用時における状況を斜め前方より見た外観図であり、着座面基板５ｂの表面には着座面基板接続用布１３が接着剤で貼り付けられており接合固定用糸１４により更に縫い付けられ固定されている。底面基板８ｂにも同様に底面基板接続用布１５が貼り付けられている。そして、着座面基板接続用布１３と底面基板接続用布１５とは前方部分において着座面基板接続スペーサー１６と底面基板接続スペーサー１７の両方を挟み込みながら一体に接合固定用糸１４により結合されている状況が示されている。
【００４７】
図７は、図６に示した敷き座り部分の中央部分における前後方向に沿った垂直断面を示した物である。傾斜角設定基板９ｂの端部が番号１８の位置規制板Ａと番号１９の位置規制板Ｂの間に位置しており着座面基板５ｂの傾斜角度を固定出来る様になっている。又、傾斜角設定基板９ｂの反対側の端部は傾斜角設定基板接続用布１２が接合固定用糸（断面図には示されていない）により縫い付けられており、更にその傾斜角設定基板接続用布１２は傾斜角設定基板接続スペーサー２０を介して底面基板８ｂと底面基板接続用布１５とに縫い付けられ結合されている。
【００４８】
図８は、図６に示した敷き座り部分を持ち運ぶ時に便利なように薄く折りたたんだ時の状態を中央部分における前後方向沿った縦断面により示した物である。傾斜角設定基板９ｂが底面基板８ｂに沿って倒れる事により全体が薄くなる。更に図９は、図６に示した敷き座り部分を後方より見た斜視外観図であり、着座使用時における傾斜角設定基板９ｂの位置関係を理解する事ができる。図１０は、図６〜９において示された敷き座り部分に対して支持部品及び膝前部当て部を取り付けた状態を示す斜視図である。詳しく見て行くと、着座面基板接続用布１３を通して着座面基板５ｂの横側端部には短い方の支持部品７０１ｂ及び７０６ｂが接続用固定糸１４により縫い付けられている。
【００４９】
着座面基板５ｂの前方端部中央からは、長い帯状のベルトが二本垂れており、右側のベルト自体は上方部分から順々に支持部品７０２ｂ、膝前部当て部６０１ｂ及び支持部品７０３ｂに該当する領域を有している。又、左側のベルト自体は上方部分から順々に支持部品７０４ｂ、膝前部当て部６０２ｂ及び支持部品７０５ｂに該当する領域を有している。これらのベルトは着座時においては、支持部品７０３ｂの片面に形成されているマジックテープ（登録商標）Ａ（番号１０で示されている）の部分が支持備品７０１ｂの片面に形成されているマジックテープ（登録商標）Ｂ（番号１１で示されている）の部分と押し込み結合される。又、支持部品７０５ｂの片面に形成されているマジックテープ（登録商標）Ａの部分が支持備品７０６ｂの片面に形成されているマジックテープ（登録商標）Ｂの部分と押し込み結合される。そして、結合時においてベルト自体の膝の回りに装着されている外観の様子は図５に示されているものと同様である。この様にして、大腿骨と背骨の間の角度を５度〜４５度に大きくしたままでの安定した着座が可能となる。
【００５０】
実施例３は図１１にその構造が示されており、実施例２と敷き座り部分の構造は同じであるが、膝前部当て部を膝前部に当てて装着する為の布状のベルトが、左右それぞれ一本のベルトで形成される場合の例である。長いベルトの中央領域に膝前部当て部を有し、その両側に支持部品として機能する部分が連続形成されているが、長いベルトの端部は着座面基板の横側端部に結合されている。即ち、右側の長いベルトの一方の端部にある支持部品７０２ｃの領域は一端が着座面基板接合用布１３ｃを通して着座面基板５ｃに接合固定用糸１４を用いて縫い付けられており、他方の端は膝前部当て部６０１ｃの領域に続いている。そして膝前部当て部６０１ｃの領域は支持部品７０２ｃと反対側において支持部品７０３ｃの領域へと続いている。ここで、支持部品７０３ｃは折り返しベルト２３の領域と支持用フック２２と更に膝前部当て部６０１ｃから折り返しベルト２３に至るまでの部分をまとめて意味している。足の長い人が使用する時には、折り返しベルト２３の部分が短くなるようにベルトを移動して膝前部当て部６０１ｃに対応する部分から支持用フック２２迄の長さを長くして使用する事になる。そして、折り返しベルト２３の折り返し部には支持用フック２２を有する輪が図１１に示される如くはめ込まれている。支持用フック２２を有する輪の部分で折り返されたベルトは、二つのベルト留め輪２１により折り返し状態が保持されて、膝前部当て部６０１ｃが膝より荷重を受けた時に支持用フック２２の輪の部分からベルトが抜けてしまう事の無いように抑えられている。
【００５１】
同様にして、左側の長いベルトの一方の端部にある支持部品７０４ｃの領域は一端が着座面基板接合用布１３を通して着座面基板５ｃに接合固定用糸１４を用いて縫い付けられており、他方の端は膝前部当て部６０２ｃの領域に続いている。そして膝前部当て部６０２ｃの領域は支持部品７０４ｃと反対側において支持部品７０５ｃの領域へと続いている。ここで、支持部品７０５ｃは折り返しベルト２３の領域と支持用フック２２と更に膝前部当て部６０２ｃから折り返しベルト２３に至るまでの部分をまとめて意味している。支持用フック２２を有する輪の部分で折り返されたベルトは、二つのベルト留め輪２１により折り返し状態が保持されて、膝前部当て部６０２ｃが膝より荷重を受けた時に支持用フック２２の輪の部分からベルトが抜けてしまう事の無いように抑えられている。
【００５２】
着座時における膝前部当て部６０１ｃ及び６０２ｃの装着方法としては、足膝の回りに左右の長いベルトを回してから左右の長いベルトの支持部品７０３ｃ及び７０５ｃの構成部品である二つの支持用フック２２を着座面基板の前方端部に設けられた支持用リング２４の穴にかける事により行われる。支持用リング２４は着座面基板接続用布１３の端部にリング周囲の約１／３の部分が糸で縫いつけられており、膝前部当て部が受ける荷重を着座面基板に伝える役目を果たす事になり、着座した人の体が前方へ滑り落ちるのが阻止される。
【００５３】
次に実施例４について、図１２を参照しながら説明する。実施例４は、敷き座り部分２５ｄが前方に傾斜した三角形断面を有する三角柱を寝かせたような形状の立体で構成されている場合を示している。この三角柱の立体は、木製や弾性ゴム製の立体に布性表面カバーを付けて構成する事が出来るが、着座面と着座底面との間の角度が５度から４５度の間の角度範囲に入るように作られている。そして、右側の膝前部当て部を有する支持部品について説明すると、膝前部当て部６０１ｄの両側に支持部品の７０２ｄと７０３ｄが接続されている。又、支持部品７０２ｄは支持用リング２４、ベルト留め輪２１ｄ、小幅ベルト２６及び広幅ベルト端部２７により構成されている。更に又、支持部品７０３ｄは広幅ベルト端部２７及び支持用フック２２ｄによって構成されている。左側の膝前部当て部６０２ｄも両側に支持部品を有しており構造は右側の膝前部当て部６０１ｄの場合と同様である。
【００５４】
即ち、実施例１，２及び３においては、膝前部当て部と支持部品における膝前部当て部に続く部分は同一幅の布状ベルトで構成されているが、実施例４においては、布状ベルトを小幅ベルト２６の部分と広幅ベルトの部分とで分けて構成している。膝前部当て部６０１ｄを構成する部分は膝への荷重を大きな面積で受ける為に広幅ベルトで構成し、膝前部当て部に続く支持部品の領域は、膝前部当て部から連続して同じ幅で形成される広幅ベルト端部２７を経て小幅ベルト２６へと続いて構成されている。この構造により、着座する人の足の長さに合わせて、支持部品７０２ｄの部分の長さを調節する事が出来ると共に、支持部品においては強度を重視し、又膝前部当て部においては膝への集中荷重を分散する事を重視して広幅ベルトの構造とする事が出来る。なお、小幅ベルト端部、広幅ベルト端部及び支持用フックの間の接続は接着剤や糸による縫合を用いて行われる。このように、本発明において膝前部当て部という言葉で表現する部分は支持部品の領域と同じ材料で構成される場合も、又支持部品とは異なった材料で構成される場合も両方とも意味として含んでいる。
【００５５】
次に、実施例５について図１３〜図１５を参照しながら説明する。実施例５は敷き座り部分が４本の空気袋２８により構成される場合の例を示しており、図１３の敷き座り部分は空気を抜くと小さく折り畳む事が出来る。空気袋２８は、着座時の横方向に伸びた丸みを帯びた丸木状外形を有する袋から構成されており、着座時の前方側に向かって順々に細い形状を有している事により上表面が傾斜を有する着座面を構成できるようになっている。図１３の中では、太さの異なる４本の丸木状外形を有する袋が隣り合って接合されている。空気袋２８の着座時の前後方向における縦断面により構造を更に説明すると、図１４は４本の袋がそれぞれ袋として接合されている部分の断面を示し、図１５は接合された４本の袋の各接合面に開けられた空気流通口３１の個所における断面を示したものである。又、図１５においては、同時に空気口チューブ２９と空気栓３２の断面も示されている。
【００５６】
空気口チューブ２９から空気を吹き込み、チューブ口に空気栓３２を押し込む事により図１３に示したような敷き座り部分が出来上がり、空気を抜くと小さく折り畳む事が出来る。空気袋の形成はポリエチレンやゴム等の柔軟性のある樹脂フィルムを用いる事や、繊維で構成された布にポリエチレンやゴムを複合含浸させた材料を用いて形成する事が可能である。膝前部当て部６０１ｅに連続して形成された支持部品の構成要素の一つである支持用リング２４ｅにおいて、支持部品は空気袋と結合される。支持用リング２４ｅは、その円周の内の小幅ベルト２６ｅがリング内に挿入されて連結される部分以外は、リング接合シート３０により空気袋２８の表面に接着剤により強固に接合されている。一方、膝前部当て部６０１ｅの反対側に連続して形成された支持部品の先には支持用フック２２ｅが形成されているのは、図１２の場合と同様である。そして、支持用フック２２ｅを架ける為の敷き座り部分の前方端部に形成された支持用リング２４ｅもリング接合シート３０により空気袋に強固に接着接合されている。
【００５７】
次に、実施例６について図１６〜図１７を用いて説明する。実施例６においては、両足を一緒に一つの輪を形成するベルトにより支える場合を示している。図１６を見て理解されるように、長い方のベルトの中間には、膝前部当て部６ｆとなる部分が有り、その両側には支持部品７０２ｆと７０３ｆとになる部分が連続して配置されている。支持部品７０２ｆの膝前部当て部６ｆとは反対側の端部は着座面基板５ｆの横側の端に縫い付け結合されており、支持部品７０３ｆの膝前部当て部６ｆとは反対側の端部の片側面には１０ｆで示されるマジックテープ（登録商標）Ａが縫い付けられている。短い方のベルトは支持部品７０１ｆを構成しており、支持部品７０１ｆの一方の端は着座面基板５ｆの横側であり、且つ長い方のベルトが結合されている側とは反対側の横側の端部に縫い付け結合されている。又、支持部品７０１ｆの他方端の裏面には、１１ｆで示されるマジックテープ（登録商標）Ｂが縫い付けられている。
【００５８】
次に、図１７に示されるように、長い方のベルトを両膝の前部に回して、支持部品７０１ｆの端部にあるマジックテープ（登録商標）Ｂ部と支持部品７０３ｆの端部にあるマジックテープ（登録商標）Ａ部とを、貼り合わす事によって膝の荷重を支える輪状のベルトを構成する事が出来る。この様に、両膝を一緒にして一本の輪により包み込む構造を取る事によって、膝下まで伸びるような長いスカートを着用している女性や和服着物、又は長いガウンを着用する人のように、両足が同時に包まれるような服装の人にとっても本発明による着座具を使用する事は可能である。この様に、特許願番号の特願２００４−２３４３９０に開示された着座具によっては、両足が同時に包まれるような服装の人においては５〜４５度の前傾角度を有する着座面上に安定に着座する事は困難であったが、本発明による着座具の使用においては容易なものとなった。
【００５９】
以上、実施例１〜６の説明の中で述べて来たように本発明は膝前部当て部と支持部品との配置構造において、特許願番号の特願２００４−２３４３９０号の中で開示した物とは異なる構造を採用する事により、膝をより固定状態に近づけて座る事を可能にし座った時の安定感の増大をもたらす事が出来る。更には、両足が同時に包まれるような服装における安定した着座をも可能なものとする事が出来る。即ち、本発明における膝前部当て部は、その両側に支持部品を有している。両側に支持部品を有して、且つその支持部品の膝前部当て部とは反対側の端部がそれぞれに敷き座り部分と連結されている事により、膝前部当て部は両側から強固に保持される。この構造は、支持部品が膝前部当て部の端部の一方向にだけ形成されていて、膝前部当て部が支持部品の先端において支持部品の揺動に応じて自由に動く場合とは異なる着座時の快適さをもたらす事ができる。その意味で、より固定的な装着感を好む場合や、膝により多くの体重をかける姿勢を取りたい場合においてより安定な体の姿勢を可能にするのに好適な構造である。
【００６０】
本発明着座具における敷き座り部分の傾斜角度は、１０〜４５度の範囲がより好適であるが、１０〜４５度の角度については、着座面基板５と底面基板８の間の角度として形成する事以外に、何割かの角度について傾斜断面を有するスペーサーを用いて受け持たせる事も可能である。即ち、着座面基板５と底面基板８の間の角度を５度として、更に着座面基板５の上に１５度の頂角を有する三角断面構造のスペーサーを配置して、傾斜角度を合計２０度とする事も可能である。この場合においても、三角断面構造のスペーサー表面を滑り落ちようとする体は、膝前部当て部において安定して受け止める事ができる。従って、本発明における敷き座り部分の傾斜角度としては、着座面と着座底面との間で構成される角度と考えるのが適正である。
【００６１】
又、実施例１〜６においては本発明着座具を従来法による事務用椅子４の着座定番３の上に設置して用いる場合に該当するという意味で同じグループの態様である。一方、別のグループの態様として、本発明による背骨１と大腿骨２の間を９５〜１３５度ぐらいに大きくした状態で着座する機能を最初から椅子の構造の中に取り入れて置く事も可能である。その場合には、底面基板８は着座定板３と一体の物として形成する事が出来る。即ち、実施例１と６に示された構造を椅子と合体する場合には、底面基板８を着座定板３の上に接着剤やボルト・ナットにて固定する方法や底面基板８を省いて着座面基板５の前方端部と、傾斜角設定基板９の下端部をそれぞれ蝶番を介して着座定板３と直接接続する事が有効である。又、実施例２〜４のタイプの着座具を椅子の着座定板３と結合する場合には、底面の布を着座定板３に縫い付ける事が可能である。又、実施例２及び３においては、傾斜角設定基板接続用布１２や着座面基板接続用布１３を着座定板３に直接縫い付ける方法も有効である。更に又、実施例５のタイプの場合には、着座定板３の上側と空気袋２８の底面部とを接着剤を用いて接合する事が有効である。
【産業上の利用可能性】
【００６２】
本発明は、従来の事務用椅子の上に設置するだけで、背骨と大腿骨の間の角度を大きくして安定に座る事が出来る着座具を製作する産業に利用する事が出来る。又、その機能を有する椅子を製作する産業に利用する事が出来る。
【図面の簡単な説明】
【００６３】
【図１】図１は本発明着座具を事務用椅子の上に設置して人が着座した時の様子を示す模式的な姿勢断面概観図である。
【図２】図２は図１の中に示された本発明着座具の敷き座り部分上に人が座り、膝前部当て部を装着していない段階の様子を示す正面から見た模式的な外観図である。
【図３】図３は図１の中に示された本発明着座具の敷き座り部分上に人が座り、膝前部当て部を装着していない段階の様子を示す斜め前方より見た模式的な外観図である。
【図４】図４は図１の中に示された本発明着座具の敷き座り部分上に人が座り、膝前部当て部を装着している状態の様子を示す正面から見た模式的な外観図である。
【図５】図５は図１の中に示された本発明着座具の敷き座り部分上に人が座り、膝前部当て部を装着している状態の様子を示す斜め前方から見た模式的な外観図である。
【図６】図６は第２の実施例における敷き座り部分を斜め前方より見た模式的な外観図である。
【図７】図７は第２の実施例における敷き座り部分を前後方向に平行な鉛直面により切断した時の模式的な断面図である。
【図８】図８は第２の実施例における敷き座り部分を折り畳んだ状態において、前後方向に平行な鉛直面により切断した時の模式的な断面図である。
【図９】図９は第２の実施例における敷き座り部分を斜め後方より見た時の模式的な外観図である。
【図１０】図１０は第２の実施例における敷き座り部分に支持部品を取り付けた状態を斜め前方より見た時の模式的な外観図である。
【図１１】図１１は第３の実施例における敷き座り部分に支持部品を取り付けた状態を斜め前方より見た時の模式的な外観図である。
【図１２】図１２は第４の実施例における敷き座り部分に支持部品を取り付けた状態を斜め前方より見た時の模式的な外観図である。
【図１３】図１３は第５の実施例における敷き座り部分に支持部品を取り付けた状態を斜め前方より見た時の模式的な外観図である。
【図１４】図１４は第５の実施例における敷き座り部分を前後方向に平行な鉛直面により切断した時の断面図である。
【図１５】図１５は第５の実施例における敷き座り部分を空気流通口のある部分において、前後方向に平行な鉛直面により切断した時の断面図である。
【図１６】図１６は第６の実施例における本発明着座具の敷き座り部分上に人が座り、膝前部当て部を完全には装着していない段階の様子を示す斜め前方より見た模式的な外観図である。
【図１７】図１７は第６の実施例における本発明着座具の敷き座り部分上に人が座り、膝前部当て部を完全に装着している状態を示す斜め前方より見た模式的な外観図である。
【図１８】図１８は本発明者が本発明出願よりも先に特許願番号の特願２００４−２３４３９０号の中で開示している着座具の一例について、斜め後方より見た時の外観図である。
【図１９】図１９は従来技術による事務用椅子に人が机に向かって着座した時の、人の背骨、大腿骨及び着座定板と間における相対的角度関係を模式的に示した姿勢断面概観図である。
【符号の説明】
【００６４】
１・・・背骨、
２・・・大腿骨、
３・・・着座定板、
４・・・事務用椅子、
５，５ｂ，５ｃ，５ｄ，５ｅ，５ｆ，５ｇ・・・着座面基板、
６，６０１ａ，６０２ａ，６０１ｂ，６０２ｂ，６０１ｃ，６０２ｃ，６０１ｄ，６０２ｄ，６０１ｅ，６ｆ，６ｇ・・・膝前部当て部、
７，７０１ａ，７０２ａ，７０３ａ，７０４ａ，７０５ａ，７０６ａ，７０１ｂ，７０２ｂ，７０３ｂ，７０４ｂ，７０５ｂ，７０６ｂ，７０２ｃ，７０３ｃ，７０４ｃ，７０５ｃ，７０２ｄ，７０３ｄ，７０１ｆ，７０２ｆ，７０３ｆ，７ｆ・・・支持部品、
８，８ｂ，８ｇ・・・底面基板、
９，９ｂ，９ｇ・・・傾斜角設定基板、
１０，１０ｂ，１０ｆ，１０ｇ・・・マジックテープ（登録商標）Ａ、
１１，１１ｂ，１１ｆ，１１ｇ・・・マジックテープ（登録商標）Ｂ、
１２，１２ｇ・・・傾斜角設定基板接続用布、
１３，１３ｃ・・・着座面基板接続用布、
１４・・・接合固定用糸、
１５・・・底面基板接続用布、
１６・・・着座面基板接続スペーサー、
１７・・・底面基板接続スペーサー、
１８・・・位置規制板Ａ、
１９・・・位置規制板Ｂ、
２０・・・傾斜角設定基板接続スペーサー、
２１，２１ｄ・・・ベルト留め輪、
２２，２２ｄ，２２ｅ・・・支持用フック、
２３・・・折り返しベルト、
２４・・・支持用リング、
２５ｄ・・・敷き座り部分、
２６・・・小幅ベルト、
２７・・・広幅ベルト端部、
２８・・・空気袋、
２９・・・空気口チューブ、
３０・・・リング接合シート、
３１・・・空気流通口、
３２・・・空気口止め栓、
３３・・・膝前部当てベルト、
３４・・・膝前部当てベルト接続板、
３５・・・支持紐、
３６・・・結び目、
３７・・・支持紐懸架穴、
３８・・・机、
【図１】
2006314484.tif 000003
【図２】
2006314484.tif 000004
【図３】
2006314484.tif 000005
【図４】
2006314484.tif 000006
【図５】
2006314484.tif 000007
【図６】
2006314484.tif 000008
【図７】
2006314484.tif 000009
【図８】
2006314484.tif 000010
【図９】
2006314484.tif 000011
【図１０】
2006314484.tif 000012
【図１１】
2006314484.tif 000013
【図１２】
2006314484.tif 000014
【図１３】
2006314484.tif 000015
【図１４】
2006314484.tif 000016
【図１５】
2006314484.tif 000017
【図１６】
2006314484.tif 000018
【図１７】
2006314484.tif 000019
【図１８】
2006314484.tif 000020
【図１９】
2006314484.tif 000021